(57)【特許請求の範囲】
【請求項１】
遊技盤の遊技領域に始動口と大入賞口を設け、該始動口への遊技球の入球により表示図柄が変動を開始する図柄変動表示器を設け、該図柄変動表示器の表示図柄の変動が特定図柄で停止し大当たりとなった場合にその特別遊技状態の間だけ有効に検出作動をするようになる通過球検出器を前記大入賞口に設け、該通過球検出器によって遊技球が検出されることにより所定数の賞球が払い出されるようにしたことを特徴とするパチンコ遊技機。
【請求項２】
特別遊技状態は通過球検出器が所定数の遊技球を検出するかまたは所定時間が経過すると終了するようにした請求項１に記載のパチンコ遊技機。
【請求項３】
大入賞口に特別遊技状態の間だけ有効に検出作動をするようになる第２の通過球検出器を設け、この第２の通過球検出器によって遊技球が検出されることで特別遊技状態が所定回数を限度として継続されるようにした請求項１または２に記載のパチンコ遊技機。
【請求項４】
特別遊技状態中に大入賞口を通過した遊技球の個数を表示する表示装置を設けた請求項１〜３のいずれかに記載のパチンコ遊技機。
【請求項５】
特別遊技状態の継続回数を表示する表示装置を設けた請求項１〜４のいずれかに記載のパチンコ遊技機。
【請求項６】
遊技球が通過球検出器により有効に検出されたときに効果音が発せられるようにした請求項１〜５のいずれかに記載のパチンコ遊技機。
【発明の詳細な説明】
【０００１】
【発明の属する技術分野】
本発明は、図柄変動表示器の図柄が予め定められた特定図柄で停止したときに特別遊技状態となり遊技者にとって有利な特典が与えられるパチンコ遊技機に関するものである。
【０００２】
【従来の技術】
「フィーバー機」等と称されるいわゆる第１種パチンコ遊技機は、周知のように、遊技盤に設けられた複数の入賞口の内の始動口に打球が入賞し始動条件が成立すると、カラー液晶ディスプレイ，ＣＲＴ等の図柄変動表示器が図柄を一定時間変動表示し、その停止図柄が偶然性をもって例えば「２２２」「５５５」「７７７」等の特定図柄となった場合に特別遊技状態（大当たり）となって電動開閉大入賞口が開閉扉がソレノイドの作動によって開かれ、該電動開閉大入賞口に打球が１０個入るかまたは３０秒経過すると該開閉扉は一旦は閉じるものの、該電動開閉大入賞口内に設けられているＶゾーンと称される継続入賞口に打球が入賞すれば該開閉扉は以降も同様に１６回程度を限度として継続的に開かれるようになり、このような特別遊技状態が継続する期間中に入賞した打球によって景品球を多数獲得できて遊技客に多くの利益がもたらされるように構成されている。
【０００３】
【発明が解決しようとする課題】
ところで、従来の上記パチンコ遊技機は、大入賞口の開閉扉の開閉手段や、その大入賞口内の継続入賞口への入球を電気的に制御するための部材および駆動手段等が構造的に極めて複雑に錯綜し、大入賞口装置自体が非常に大型化せざるを得ないため製造コストが掛るとともに、製造不良や故障も発生し易い状況であった。
【０００４】
また、針金等を使って開閉扉を無理に開かせ打球を大入賞口に入賞させるような不正行為が行われるおそれがあった。
さらには、従来のように開閉扉を閉じることで機械的に打球の入賞を阻止する構造では、開閉扉が閉じる直前に２個以上の打球が入ると所定個数をオーバーして入賞してしまうので、入賞球数が正確に守られない欠点があった。
【０００５】
本発明は上述に鑑みてなされたもので、大入賞口装置の構造を大幅に簡略化でき製造コストを軽減し故障のおそれをなくすとともに、不正が防止され、さらには入賞球数が正確に守られるようにしようとするものである。
【０００６】
【課題を解決するための手段】
そのために本発明のパチンコ遊技機は、遊技盤の遊技領域に始動口と大入賞口を設け、該始動口への遊技球の入球により表示図柄が変動を開始する図柄変動表示器を設け、該図柄変動表示器の表示図柄の変動が特定図柄で停止し大当たりとなった場合にその特別遊技状態の間だけ有効に検出作動をするようになる通過球検出器を前記大入賞口に設け、該通過球検出器によって遊技球が検出されることにより所定数の賞球が払い出されるようにしたことを特徴とする。
また本発明は上記パチンコ遊技機において、特別遊技状態は通過球検出器が所定数の遊技球を検出するかまたは所定時間が経過すると終了するようにしたことを特徴とする。
また本発明は上記パチンコ遊技機において、大入賞口に特別遊技状態の間だけ有効に検出作動をするようになる第２の通過球検出器を設け、この第２の通過球検出器によって遊技球が検出されることで特別遊技状態が所定回数を限度として継続されるようにしたことを特徴とする。
また本発明は上記パチンコ遊技機において、特別遊技状態中に大入賞口を通過した遊技球の個数を表示する表示装置を設けたことを特徴とする。
また本発明は上記パチンコ遊技機において、特別遊技状態の継続回数を表示する表示装置を設けたことを特徴とする。
また本発明は上記パチンコ遊技機において、遊技球が通過球検出器により有効に検出されたときに効果音が発せられるようにしたことを特徴とする。
【０００７】
【発明の実施の形態】
次に図面に従い本発明の実施の形態を説明する。図１にこのパチンコ遊技機の遊技盤の正面を示す。図中、１は遊技盤、２は該遊技盤の遊技領域に設けられた天入賞口、３は右入賞口、４は左入賞口で、これらの入賞口はいわゆる普通入賞口である。５は風車、６はアウト穴である。
【０００８】
７は打球が通過することにより７セグメント発光表示器からなる数字表示器８の表示を変動させるように遊技盤上に設けられた通過口である。また、９はソレノイドの作動により一対の翼片１０が開閉動するように遊技盤１の遊技領域に設けられたチューリップ型の始動口で、該翼片１０は数字表示器８の停止数字に従い開閉動する。１１は該始動口に入球した遊技球を検出するために設けられたスタートスイッチである。
【０００９】
また、１２は遊技球が始動口９に入球することによって１〜８の数字および○，☆，◇，◎等の表示図柄が変動を開始するカラー液晶ディスプレイ，ＣＲＴ等の図柄変動表示器である。該図柄変動表示器にはこれらの図柄が一定時間変動表示された後停止し、その停止図柄が偶然性をもって例えば「２２２」「５５５」「７７７」等の特定図柄となった場合に以下に説明する特別遊技状態（大当たり）となる。
【００１０】
また、図２，図３に拡大して示したように、遊技盤１の遊技領域で前記始動口９の下部領域に遊技球が比較的容易に入球し得るようにその入球口１４が漏斗状に拡径された形状に大入賞口１３が形成された大入賞口装置が設けられる。１５は該大入賞口１３内に設けられた通過球検出器である。また、１６は特別遊技状態中に該大入賞口１３を通過した遊技球の個数を表示するために設けられたセグメント表示装置である。なお該大入賞口１３の下端２２は遊技盤面上に開放されていて該該大入賞口１３を通過した遊技球はアウト穴６に流下する。
【００１１】
図４はこのパチンコ遊技機の電子回路のブロック図で、ＣＰＵ，ＲＡＭ，ＲＯＭからなるマイクロコンピュータにＩ／Ｏを介して前記スタートスイッチ１１，通過球検出器１５、および図柄変動表示器１２が接続されているほか、賞球払出制御装置１７，音声制御装置１８が接続されている。
【００１２】
そして該賞球払出制御装置にはＣＰＵから指令された賞球払出信号を記憶する賞球払出記憶部が設けられているとともに、賞球払出モータ１９，払出賞球数検出スイッチ２０が接続されている。また音声制御装置１８は、ＣＰＵから指令された音声を合成するとともにその再生用のスピーカ２１が接続されている。
【００１３】
次に図５〜図７のフローチャートに従いこのパチンコ遊技機の作動の概略を説明する。図５に示すメインルーチンにおいて、始動口９に入球した遊技球がスタートスイッチ１１によって検出される（ステップａ）と、前記賞球払出記憶部に払い出されるべき賞球として賞球払出記憶が＋１され（ステップｂ）るとともに、図柄変動表示器１２の表示図柄が変動開始（ステップｃ）し、その変動は数秒後に停止（ステップｄ）し、その停止図柄が特定図柄であるかどうかが判別（ステップｅ）され、特定図柄でない場合は通常の遊技状態が続き、特定図柄であった場合は特別遊技状態となり大当たり起動処理（ステップｆ）がなされ、図６の大当たり動作がなされた後、大当たり終了処理（ステップｇ，ｈ）される。
【００１４】
図６の大当たり動作のサブルーチンに示したように、特別遊技状態となると先ず通過球検出器１５が遊技球を有効に検出作動し得るようにする。（ステップｉ）。そしてステップｊにて該通過球検出器１５により遊技球が検出されると、そのカウント個数を＋１する（ステップｋ）しそのカウント個数を前記表示装置１６に表示するとともに、賞球払出記憶が＋１され（ステップｌ）、効果音が発声される。（ステップｍ）。そして、ステップｎにて該通過球検出器１５によるカウント個数が所定数（通常は１６０個）以下であるかどうかが判定され、ステップｏにては所定時間（通常４８０秒）経過したかどうかが判定され、通過球検出器１５が所定数の遊技球を検出するかまたは所定時間が経過するとこのループから抜け出てステップｐに移行し通過球検出器１５の検出作動を無効化するとともに、ステップｑにてカウント個数をクリヤすることによってこの特別遊技状態が終了する。
【００１５】
また、賞球払出処理は図７に示したように、前記賞球払出記憶部に賞球払出記憶がある場合にステップｗよりステップｘ，ｙが実行され前記賞球払出モータ１９，払出賞球数検出スイッチ２０を作動させることによって遊技者に所定個数の賞球を払い出すものである。
【００１６】
このようにこのパチンコ遊技機では、大入賞口に設けた通過球検出器を特別遊技状態の間だけ有効に検出作動をするようにし、その遊技球によって所定数の賞球が払い出されるようにしたので、大入賞口に遊技球の入賞を制御する開閉扉等を設ける必要がなく、構造が非常に簡単にできるとともに、不正手段によって開閉扉が開けられても通過球検出器が有効化してないと賞球払出作動はしないので不正行為を未然に防止することができる。
【００１７】
一方、図８に示した本発明に係るパチンコ遊技機の遊技盤１は、始動口９の下部領域に設けた大入賞口装置に２つの大入賞口１３ａ，１３ｂを並設し、一方の大入賞口１３ａに通過球検出器１５を設けるとともに、他方の大入賞口１３ｂに第２の通過球検出器２３を設け、該通過球検出器１５および該通過球検出器２３のいずれもは特別遊技状態の間以外は検出作動をしないように無効とし、この第２の通過球検出器２３によって遊技球が検出されることで特別遊技状態が所定回数を限度として継続されるようにしたものである。なお、同図中、１６は大入賞口１３ａを通過し通過球検出器１５によって検出された遊技球の個数を表示するため設けられたセグメント表示装置、２４は大入賞口１３ｂを通過し通過球検出器２３によって検出された遊技球の個数を表示するために設けられたセグメント表示装置である。
【００１８】
次に図８の遊技盤１を持つパチンコ遊技機の作動を図９に示した大当たり動作のサブルーチンのフローチャートに従い説明する。このパチンコ遊技機では特別遊技状態となると、通過球検出器１５および通過球検出器２３が遊技球を有効に検出作動し得るようになる。（ステップｉ）。そしてステップｊにて記憶されている継続回数（ラウンド数）が＋１され、その継続回数が表示装置２４に表示される。またステップｋ〜ｍにては、大入賞口１３ｂに遊技球が入球し通過球検出器２３にてその遊技球が検出された場合に特別遊技状態を継続させるためのＶフラグをオンする。
【００１９】
またステップｎにて通過球検出器１５により遊技球が検出されると、そのカウント個数を＋１する（ステップｏ）しそのカウント個数を前記表示装置１６に表示するとともに、賞球払出記憶が＋１される。（ステップｐ）。このため図７に示した賞球払出処理が行われる。そして、図９のステップｑにて該通過球検出器１５によるカウント個数が所定数（通常は１０個）以下であるかどうかが判定され、ステップｒにては所定時間（通常３０秒間）経過したかどうかが判定され、通過球検出器１５が所定数の遊技球を検出するかまたは所定時間が経過するとこのループから抜け出てステップｓに移行し、通過球検出器１５および通過球検出器２３の検出作動を無効化するとともに、ステップｔにてＶフラグの状態を判別しステップｕにて継続回数（ラウンド数）が１６回以下かどうかを判定する。そして、Ｖフラグがオンであって継続回数が１６回以下である場合はステップｖにてカウント個数をクリヤし、ステップｚにてＶフラグをオフした後ステップｉに戻る。またＶフラグがオフであるかまたは継続回数が１６回を超す場合はこの特別遊技状態が終了し、図５に示したメインルーチンに戻る。
【００２０】
このためこのパチンコ遊技機では、特別遊技状態になったとき大入賞口１３ａに遊技球が１０個入球するかまたは３０秒経過すると通過球検出器１５および通過球検出器２３による遊技球の検出作動が一旦は無効化されるが、その特別遊技状態の間に大入賞口１３ｂに遊技球が入球し通過球検出器２３により検出されていた場合（Ｖフラグがオンしていた場合）は、すぐにまた通過球検出器１５および通過球検出器２３による遊技球の検出作動は有効化されることで、この特別遊技状態が１６回を限度として継続される。
【００２１】
なお図１０，図１１の遊技盤１に設けられた大入賞口では、大入賞口１３内に通過球検出器１５と通過球検出器２３を並設し、通過球検出器２３上にはソレノイド２５によってスライドする遮蔽板２６を設けていて、特別遊技状態となった場合に該通過球検出器２３によって遊技球が１個検出されると該遮蔽板２６が閉じることで該大入賞口に入球した遊技球はそれ以降全部通過球検出器１５に検出されるようにしたものである。この場合にも、通過球検出器１５および通過球検出器２３のいずれもは特別遊技状態の間以外は検出動作をしないように無効とする。
【００２２】
また図１２に示した遊技盤１に設けられた大入賞口では、大入賞口１３内に通過球検出器１５と通過球検出器２３が直列に設けられ、通過球検出器１５により検出された遊技球は通過球検出器２３によっても検出されるようにすることでより確実に特別遊技状態が継続されるようにしている。この場合にも、通過球検出器１５および通過球検出器２３のいずれもは特別遊技状態の間以外は検出動作をしないように無効とする。
【００２４】
【発明の効果】
以上説明したように本発明のパチンコ遊技機は、図柄変動表示器の表示図柄の変動が特定図柄で停止し大当たりとなった場合にその特別遊技状態の間だけ有効に検出作動をするようになる通過球検出器を大入賞口に設け、該通過球検出器により検出された遊技球によって所定数の賞球が払い出されるようにしたので、大入賞口装置の構造が簡略化され小型化でき製造コストも軽減できるとともに、可動部分を少なくできるので球噛み等により故障するおそれが少なくなる利点がある。また、従来のように開閉扉を無理に開けて遊技球を入球させても賞球が払い出されないので、不正行為が未然に防止されるとともに、特別遊技状態時における大入賞口への入賞球数が正確になるなど種々の格別な効果がある。
【図面の簡単な説明】
【図１】本発明に係るパチンコ遊技機の実施形態を示した遊技盤の正面図。
【図２】図１の遊技盤の部分拡大図。
【図３】図２の遊技盤のＡ−Ａ線断面図。
【図４】本発明に係るパチンコ遊技機の実施形態を示した電子回路のブロック図。
【図５】本発明に係るパチンコ遊技機のフローチャート。
【図６】本発明に係るパチンコ遊技機のフローチャート。
【図７】本発明に係るパチンコ遊技機のフローチャート。
【図８】本発明に係るパチンコ遊技機の他の実施形態を示した遊技盤の部分拡大図。
【図９】図８に示したパチンコ遊技機のフローチャート。
【図１０】本発明に係るパチンコ遊技機の他の実施形態を示した遊技盤の部分拡大図。
【図１１】図１０のＢ−Ｂ線断面図。
【図１２】本発明に係るパチンコ遊技機の他の実施形態を示した遊技盤の部分拡大図。
【符号の説明】
１                遊技盤
９                始動口
１１              スタートスイッチ
１２              図柄変動表示器
１３              大入賞口
１５              通過球検出器
１６              表示装置
１７              賞球払出制御装置
１８              音声制御装置
１３ａ，１３ｂ    大入賞口
２３              通過球検出器
２４              表示装置
【図１】
0003801390.tif 000002
【図２】
0003801390.tif 000003
【図３】
0003801390.tif 000004
【図４】
0003801390.tif 000005
【図５】
0003801390.tif 000006
【図６】
0003801390.tif 000007
【図７】
0003801390.tif 000008
【図８】
0003801390.tif 000009
【図９】
0003801390.tif 000010
【図１０】
0003801390.tif 000011
【図１１】
0003801390.tif 000012
【図１２】
0003801390.tif 000013